(57)【要約】      （修正有）【課題】非隣接したＢＷに亘ってＳＲＳ転送を可能にする方法を提供する。【解決手段】ユーザ端末は、ＰＵＳＣＨと関連したＤＭＲＳを送信するために、ＤＭＲＳに対するＣＳ（Cyclic Shift）とＯＣＣの結合を指示する情報を受信して、前記ＤＭＲＳに対するＣＳと前記ＯＣＣを識別し、前記識別されたＣＳ、前記ＯＣＣ及びＣＡＺＡＣ基盤シーケンスに基づいてＤＭＲＳシーケンスを得る。ＣＳ及びＯＣＣの適用を通じてＤＭＲＳ転送パラメータの構成をサポートし、最大ＳＲＳ帯域幅の一部のみでＳＲＳ帯域幅ホッピングをサポートし、作用帯域幅の非隣接した部分に亘って同一ＵＥからの同時的ＳＲＳ転送がなされる。【選択図】図１４
2014116952.tif 000002
【特許請求の範囲】
【請求項１】
通信システムにおける物理アップリンク共有チャンネル（Physical Uplink Shared CHannel：ＰＵＳＣＨ）と関連したＤＭＲＳ（DeModulation Reference Signal）を送信する方法であって、
ユーザ端末（User Equipment：ＵＥ）が前記ＵＥに対応するＵＥ識別子に基づいて物理ダウンリンク制御チャンネル（Physical Downlink Control CHannel：ＰＤＣＣＨ）を介して複数個の情報要素（Information Elements：ＩＥｓ）を含むダウンリンク制御情報（Downlink Control Information：ＤＣＩ）を受信するステップと、
前記複数個のＩＥは、リソース割当（Resource Allocation：ＲＡ）と直交カバーコード（Orthogonal Cover Code：ＯＣＣ）及び前記ＤＭＲＳのための循環シフト（Cyclic Shift：ＣＳ）の結合を指示する情報を含み、
前記ＤＭＲＳに対するＣＳと前記ＯＣＣの結合を指示する情報を使用して前記ＤＭＲＳに対するＣＳと前記ＯＣＣを識別するステップと、
前記識別されたＣＳ、前記ＯＣＣ及び固定振幅ゼロ自己−相関（Constant Amplitude Zero Auto-Correlation：ＣＡＺＡＣ）基盤シーケンスに基づいてＤＭＲＳシーケンスを獲得するステップと、
前記ＲＡに基づいて複数個のサブキャリアに対応する前記ＤＭＲＳシーケンスをマッピングするステップと、
前記生成されたＤＭＲＳに前記複数個のサブキャリアと前記ＤＭＲＳシーケンスに基づいて逆高速フーリエ変換（Inverse Fast Fourier Transform：ＩＦＦＴ）を遂行するステップと、
前記ＰＵＳＣＨと関連したＤＭＲＳを送信するステップと、を含むことを特徴とする方法。
【請求項２】
前記ＰＵＳＣＨと関連したＤＭＲＳを送信する前に、前記ＤＭＲＳに循環前置（Cyclic Prefix：ＣＰ）を追加するステップをさらに含むことを特徴とする請求項１に記載の方法。
【請求項３】
前記ＯＣＣは、｛１、１｝と｛１、−１｝のうち一つを示すことを特徴とする請求項１に記載の方法。
【請求項４】
前記ＣＳは、前記ＣＡＺＡＣ基盤シーケンスの０、６、３、４、２、８、１０及び９シフトのうち一つを示すことを特徴とする請求項１に記載の方法。
【請求項５】
前記ＤＭＲＳシーケンスは、
【数１】
2014116952.tif 000025
により構成され、
ｒ（ｎ）は前記ＣＡＺＡＣシーケンスを示し、
【数２】
2014116952.tif 000026
は前記ＣＡＺＡＣ基盤シーケンスのシフト値を示し、ｎｃｓは（ＮＤＭＲＳ＋ｎＤＭＲＳ）ｍｏｄ １２に基づいて決定され、ここで、ＮＤＭＲＳは前記ＣＳに対応するｎＤＭＲと上位階層により構成されることを特徴とする請求項１に記載の方法。
【請求項６】
前記複数個のＩＥｓの中一つのＩＥが‘０００’を指示すると、前記ＣＳは‘０’であり、
前記ＩＥが‘００１’を指示すると、前記ＣＳは‘６’であり、
前記ＩＥが‘０１０’を指示すると、前記ＣＳは‘３’であり、
前記ＩＥが‘０１１’を指示すると、前記ＣＳは‘４’であり、
前記ＩＥが‘１００’を指示すると、前記ＣＳは‘２’であり、
前記ＩＥが‘１０１’を指示すると、前記ＣＳは‘８’であり、
前記ＩＥが‘１１０’を指示すると、前記ＣＳは‘１０’であり、
前記ＩＥが‘１１１’を指示すると、前記ＣＳは‘９’であることを特徴とする請求項１に記載の方法。
【請求項７】
前記複数個のＩＥのうちＩＥ、ＣＳ及びＯＣＣの結合は、複数個の組合を含み、
第１の組合：  前記複数個のＩＥのうち一つのＩＥが‘０００’を指示すると、前記ＣＳは‘０’であり、前記ＯＣＣは｛１、１｝であり、
前記ＩＥが‘１０１’を指示すると、前記ＣＳは‘８’であり、前記ＯＣＣは｛１、−１｝であり、
前記ＩＥが‘１１０’を指示すると、前記ＣＳは‘１０’であり、前記ＯＣＣは｛１、−１｝であり、
前記ＩＥが‘１１１’を指示すると、前記ＣＳは‘９’であり、前記ＯＣＣは｛１、１｝であり、
第２の組合：  前記ＩＥが‘０００’を指示すると、前記ＣＳは‘０’であり、前記ＯＣＣは｛１、１｝であり、
前記ＩＥが‘１０１’を指示すると、前記ＣＳは‘８’であり、前記ＯＣＣは｛１、−１｝であり、
前記ＩＥが‘１１１’を指示すると、前記ＣＳは‘９’であり、前記ＯＣＣは｛１、１｝であり、
第３の組合：  前記ＩＥが‘００１’を指示すると、前記ＣＳは‘６’であり、前記ＯＣＣは｛１、−１｝であり、
前記ＩＥが‘０１０’を指示すると、前記ＣＳは‘３’であり、前記ＯＣＣは｛１、−１｝であることを特徴とする請求項１に記載の方法。
【請求項８】
前記複数個のＩＥは、少なくとも一つの変調及びコーディング技法（Modulation and Coding Scheme：ＭＣＳ）、新たなデータ指標（New Data Indicator：ＮＤＩ）、転送電力制御（Transmit Power Control：ＴＰＣ）、ホッピングフラグ（Hopping Flag）及びＣＱＩ（Channel Quality Information）要請をさらに含むことを特徴とする請求項１に記載の方法。
【請求項９】
通信システムにおける基地局（base Station：ＢＳ）が物理アップリンク共有チャンネル（Physical Uplink Shared CHannel：ＰＵＳＣＨ）と関連したＤＭＲＳ（DeModulation Reference Signal）をＵＥに割り当てる方法であって、
複数個の情報要素（Information Elements：ＩＥｓ）を含むダウンリンク制御情報（Downlink Control Information：ＤＣＩ）を構成するステップと、
前記複数個のＩＥは、前記ＰＵＳＣＨと前記ＤＭＲＳのための複数個のサブキャリアを識別するリソース割当（Resource Allocation：ＲＡ）と、直交カバーコード（Orthogonal Cover Code：ＯＣＣ）及び前記ＤＭＲＳのための循環シフト（Cyclic Shift：ＣＳ）の結合を指示する情報を含み、
前記ＵＥに対応するＵＥ識別子（ＩＤ）に基づいてＰＤＣＣＨｓ（Physical Downlink Control CHannels）を介して前記複数個のＩＥを含む前記ＤＣＩを送信するステップと、
前記ＤＣＩに基づいて前記ＰＵＳＣＨと関連した前記ＤＭＲＳを前記ＵＥから受信するステップと、を含むことを特徴とする方法。
【請求項１０】
前記ＤＭＲＳのためのＣＳと、前記ＯＣＣと、前記ＰＵＳＣＨ及び前記ＤＭＲＳのための複数個のサブキャリアを割り当てるステップをさらに含むことを特徴とする請求項９に記載の方法。
【請求項１１】
前記ＯＣＣは、｛１、１｝と｛１、−１｝のうち一つを示すことを特徴とする請求項９に記載の方法。
【請求項１２】
前記ＣＳは、前記ＣＡＺＡＣ基盤シーケンスの０、６、３、４、２、８、１０及び９シフトのうち一つを示すことを特徴とする請求項９に記載の方法。
【請求項１３】
前記ＤＭＲＳシーケンスは、
【数３】
2014116952.tif 000027
により構成され、
ｒ（ｎ）は前記ＣＡＺＡＣシーケンスを示し、
【数４】
2014116952.tif 000028
は前記ＣＡＺＡＣ基盤シーケンスのシフト値を示し、ｎｃｓは（ＮＤＭＲＳ＋ｎＤＭＲＳ）ｍｏｄ １２に基づいて決定され、ここで、ＮＤＭＲＳは前記ＣＳに対応するｎＤＭＲと上位階層により構成されることを特徴とする請求項９に記載の方法。
【請求項１４】
前記複数個のＩＥｓの中一つのＩＥが‘０００’を指示すると、前記ＣＳは‘０’であり、
前記ＩＥが‘００１’を指示すると、前記ＣＳは‘６’であり、
前記ＩＥが‘０１０’を指示すると、前記ＣＳは‘３’であり、
前記ＩＥが‘０１１’を指示すると、前記ＣＳは‘４’であり、
前記ＩＥが‘１００’を指示すると、前記ＣＳは‘２’であり、
前記ＩＥが‘１０１’を指示すると、前記ＣＳは‘８’であり、
前記ＩＥが‘１１０’を指示すると、前記ＣＳは‘１０’であり、
前記ＩＥが‘１１１’を指示すると、前記ＣＳは‘９’であることを特徴とする請求項９に記載の方法。
【請求項１５】
前記複数個のＩＥのうちＩＥ、ＣＳ及びＯＣＣの結合は、複数個の組合を含み、
第１の組合：  前記複数個のＩＥのうち一つのＩＥが‘０００’を指示すると、前記ＣＳは‘０’であり、前記ＯＣＣは｛１、１｝であり、
前記ＩＥが‘１０１’を指示すると、前記ＣＳは‘８’であり、前記ＯＣＣは｛１、−１｝であり、
前記ＩＥが‘１１０’を指示すると、前記ＣＳは‘１０’であり、前記ＯＣＣは｛１、−１｝であり、
前記ＩＥが‘１１１’を指示すると、前記ＣＳは‘９’であり、前記ＯＣＣは｛１、１｝であり、
第２の組合：  前記ＩＥが‘０００’を指示すると、前記ＣＳは‘０’であり、前記ＯＣＣは｛１、１｝であり、
前記ＩＥが‘１０１’を指示すると、前記ＣＳは‘８’であり、前記ＯＣＣは｛１、−１｝であり、
前記ＩＥが‘１１１’を指示すると、前記ＣＳは‘９’であり、前記ＯＣＣは｛１、１｝であり、
第３の組合：  前記ＩＥが‘００１’を指示すると、前記ＣＳは‘６’であり、前記ＯＣＣは｛１、−１｝であり、
前記ＩＥが‘０１０’を指示すると、前記ＣＳは‘３’であり、前記ＯＣＣは｛１、−１｝であることを特徴とする請求項９に記載の方法。
【請求項１６】
前記複数個のＩＥは、少なくとも一つの変調及びコーディング技法（Modulation and Coding Scheme：ＭＣＳ）、新たなデータ指標（New Data Indicator：ＮＤＩ）、転送電力制御（Transmit Power Control：ＴＰＣ）、ホッピングフラグ（Hopping Flag）及びＣＱＩ（Channel Quality Information）要請をさらに含むことを特徴とする請求項９に記載の方法。
【請求項１７】
通信システムにおける物理アップリンク共有チャンネル（Physical Uplink Shared CHannel：ＰＵＳＣＨ）と関連したＤＭＲＳ（DeModulation Reference Signal）を送信するＵＥであって、
前記ＵＥに対応するＵＥ識別子に基づいて物理ダウンリンク制御チャンネル（Physical Downlink Control CHannel：ＰＤＣＣＨ）を介して複数個の情報要素（Information Elements：ＩＥｓ）を含むダウンリンク制御情報（Downlink Control Information：ＤＣＩ）を受信する受信部と、
前記複数個のＩＥは、リソース割当（Resource Allocation：ＲＡ）と直交カバーコード（Orthogonal Cover Code：ＯＣＣ）及び前記ＤＭＲＳのための循環シフト（Cyclic Shift：ＣＳ）の結合を指示する情報を含み、
前記ＤＭＲＳに対するＣＳと前記ＯＣＣの結合を指示する情報を使用して前記ＤＭＲＳに対するＣＳと前記ＯＣＣを識別し、前記識別されたＣＳ、前記ＯＣＣ及び固定振幅ゼロ自己−相関（Constant Amplitude Zero Auto-Correlation：ＣＡＺＡＣ）基盤シーケンスに基づいてＤＭＲＳシーケンスを獲得し、前記ＲＡに基づいて前記ＤＭＲＳシーケンスを複数個のサブキャリアにマッピングする制御部と、
前記生成されたＤＭＲＳに前記複数個のサブキャリアと前記ＤＭＲＳシーケンスに基づいて逆高速フーリエ変換（Inverse Fast Fourier Transform：ＩＦＦＴ）を遂行するＩＦＦＴユニットと、
前記ＰＵＳＣＨと関連したＤＭＲＳを送信する送信部と、を含むことを特徴とするＵＥ。
【請求項１８】
前記ＰＵＳＣＨと関連したＤＭＲＳを送信する前に、前記ＤＭＲＳに循環前置（Cyclic Prefix：ＣＰ）を追加するＣＰ挿入部をさらに含むことを特徴とする請求項１７に記載のＵＥ。
【請求項１９】
前記ＯＣＣは、｛１、１｝と｛１、−１｝のうち一つを示すことを特徴とする請求項１７に記載のＵＥ。
【請求項２０】
前記ＣＳは、前記ＣＡＺＡＣ基盤シーケンスの０、６、３、４、２、８、１０及び９シフトのうち一つを示すことを特徴とする請求項１７に記載のＵＥ。
【請求項２１】
前記ＤＭＲＳシーケンスは、
【数５】
2014116952.tif 000029
により構成され、
ｒ（ｎ）は前記ＣＡＺＡＣシーケンスを示し、
【数６】
2014116952.tif 000030
は前記ＣＡＺＡＣ基盤シーケンスのシフト値を示し、ｎｃｓは（ＮＤＭＲＳ＋ｎＤＭＲＳ）ｍｏｄ １２に基づいて決定され、ここで、ＮＤＭＲＳは前記ＣＳに対応するｎＤＭＲと上位階層により構成されることを特徴とする請求項１７に記載のＵＥ。
【請求項２２】
前記複数個のＩＥｓの中一つのＩＥが‘０００’を指示すると、前記ＣＳは‘０’であり、
前記ＩＥが‘００１’を指示すると、前記ＣＳは‘６’であり、
前記ＩＥが‘０１０’を指示すると、前記ＣＳは‘３’であり、
前記ＩＥが‘０１１’を指示すると、前記ＣＳは‘４’であり、
前記ＩＥが‘１００’を指示すると、前記ＣＳは‘２’であり、
前記ＩＥが‘１０１’を指示すると、前記ＣＳは‘８’であり、
前記ＩＥが‘１１０’を指示すると、前記ＣＳは‘１０’であり、
前記ＩＥが‘１１１’を指示すると、前記ＣＳは‘９’であることを特徴とする請求項１７に記載のＵＥ。
【請求項２３】
前記複数個のＩＥのうちＩＥ、ＣＳ及びＯＣＣの結合は、複数個の組合を含み、
第１の組合：  前記複数個のＩＥのうち一つのＩＥが‘０００’を指示すると、前記ＣＳは‘０’であり、前記ＯＣＣは｛１、１｝であり、
前記ＩＥが‘１０１’を指示すると、前記ＣＳは‘８’であり、前記ＯＣＣは｛１、−１｝であり、
前記ＩＥが‘１１０’を指示すると、前記ＣＳは‘１０’であり、前記ＯＣＣは｛１、−１｝であり、
前記ＩＥが‘１１１’を指示すると、前記ＣＳは‘９’であり、前記ＯＣＣは｛１、１｝であり、
第２の組合：  前記ＩＥが‘０００’を指示すると、前記ＣＳは‘０’であり、前記ＯＣＣは｛１、１｝であり、
前記ＩＥが‘１０１’を指示すると、前記ＣＳは‘８’であり、前記ＯＣＣは｛１、−１｝であり、
前記ＩＥが‘１１１’を指示すると、前記ＣＳは‘９’であり、前記ＯＣＣは｛１、１｝であり、
第３の組合：  前記ＩＥが‘００１’を指示すると、前記ＣＳは‘６’であり、前記ＯＣＣは｛１、−１｝であり、
前記ＩＥが‘０１０’を指示すると、前記ＣＳは‘３’であり、前記ＯＣＣは｛１、−１｝であることを特徴とする請求項１７に記載のＵＥ。
【請求項２４】
前記複数個のＩＥは、少なくとも一つの変調及びコーディング技法（Modulation and Coding Scheme：ＭＣＳ）、新たなデータ指標（New Data Indicator：ＮＤＩ）、転送電力制御（Transmit Power Control：ＴＰＣ）、ホッピングフラグ（Hopping Flag）及びＣＱＩ（Channel Quality Information）要請をさらに含むことを特徴とする請求項１７に記載のＵＥ。
【請求項２５】
通信システムにおける物理アップリンク共有チャンネル（Physical Uplink Shared CHannel：ＰＵＳＣＨ）と関連したＤＭＲＳ（DeModulation Reference Signal）をＵＥに割り当てるＢＳ（ｂａｓｅｓｔａｔｉｏｎ）であって、
複数個の情報要素（Information Elements：ＩＥｓ）を含むダウンリンク制御情報（Downlink Control Information：ＤＣＩ）を構成する制御部と、
前記複数個のＩＥは、前記ＰＵＳＣＨと前記ＤＭＲＳのための複数個のサブキャリアを識別するリソース割当（Resource Allocation：ＲＡ）と、直交カバーコード（Orthogonal Cover Code：ＯＣＣ）及び前記ＤＭＲＳのための循環シフト（Cyclic Shift：ＣＳ）の結合を指示する情報を含み、
前記ＵＥに対応するＵＥ識別子（ＩＤ）に基づいてＰＤＣＣＨｓ（Physical Downlink Control CHannels）を介して前記複数個のＩＥを含む前記ＤＣＩを送信する送信部と、
前記ＤＣＩに基づいて前記ＰＵＳＣＨと関連した前記ＤＭＲＳを前記ＵＥから受信する受信部と、を含むことを特徴とするＢＳ。
【請求項２６】
前記制御部は、前記ＤＭＲＳのためのＣＳと、前記ＯＣＣと、前記ＰＵＳＣＨ及び前記ＤＭＲＳのための複数個のサブキャリアを割り当てることを特徴とする請求項２５に記載のＢＳ。
【請求項２７】
前記ＯＣＣは、｛１、１｝と｛１、−１｝のうち一つを示すことを特徴とする請求項２５に記載のＢＳ。
【請求項２８】
前記ＣＳは、前記ＣＡＺＡＣ基盤シーケンスの０、６、３、４、２、８、１０及び９シフトのうち一つを示すことを特徴とする請求項２５に記載のＢＳ。
【請求項２９】
前記ＤＭＲＳシーケンスは、
【数７】
2014116952.tif 000031
により構成され、
ｒ（ｎ）は前記ＣＡＺＡＣシーケンスを示し、
【数８】
2014116952.tif 000032
は前記ＣＡＺＡＣ基盤シーケンスのシフト値を示し、ｎｃｓは（ＮＤＭＲＳ＋ｎＤＭＲＳ）ｍｏｄ １２に基づいて決定され、ここで、ＮＤＭＲＳは前記ＣＳに対応するｎＤＭＲと上位階層により構成されることを特徴とする請求項２５に記載のＢＳ。
【請求項３０】
前記複数個のＩＥｓの中一つのＩＥが‘０００’を指示すると、前記ＣＳは‘０’であり、
前記ＩＥが‘００１’を指示すると、前記ＣＳは‘６’であり、
前記ＩＥが‘０１０’を指示すると、前記ＣＳは‘３’であり、
前記ＩＥが‘０１１’を指示すると、前記ＣＳは‘４’であり、
前記ＩＥが‘１００’を指示すると、前記ＣＳは‘２’であり、
前記ＩＥが‘１０１’を指示すると、前記ＣＳは‘８’であり、
前記ＩＥが‘１１０’を指示すると、前記ＣＳは‘１０’であり、
前記ＩＥが‘１１１’を指示すると、前記ＣＳは‘９’であることを特徴とする請求項２５に記載のＢＳ。  
【請求項３１】
前記複数個のＩＥのうちＩＥ、ＣＳ及びＯＣＣの結合は、複数個の組合を含み、
第１の組合：  前記複数個のＩＥのうち一つのＩＥが‘０００’を指示すると、前記ＣＳは‘０’であり、前記ＯＣＣは｛１、１｝であり、
前記ＩＥが‘１０１’を指示すると、前記ＣＳは‘８’であり、前記ＯＣＣは｛１、−１｝であり、
前記ＩＥが‘１１０’を指示すると、前記ＣＳは‘１０’であり、前記ＯＣＣは｛１、−１｝であり、
前記ＩＥが‘１１１’を指示すると、前記ＣＳは‘９’であり、前記ＯＣＣは｛１、１｝であり、
第２の組合：  前記ＩＥが‘０００’を指示すると、前記ＣＳは‘０’であり、前記ＯＣＣは｛１、１｝であり、
前記ＩＥが‘１０１’を指示すると、前記ＣＳは‘８’であり、前記ＯＣＣは｛１、−１｝であり、
前記ＩＥが‘１１１’を指示すると、前記ＣＳは‘９’であり、前記ＯＣＣは｛１、１｝であり、
第３の組合：  前記ＩＥが‘００１’を指示すると、前記ＣＳは‘６’であり、前記ＯＣＣは｛１、−１｝であり、
前記ＩＥが‘０１０’を指示すると、前記ＣＳは‘３’であり、前記ＯＣＣは｛１、−１｝であることを特徴とする請求項２５に記載のＢＳ。
【請求項３２】
前記複数個のＩＥは、少なくとも一つの変調及びコーディング技法（Modulation and Coding Scheme：ＭＣＳ）、新たなデータ指標（New Data Indicator：ＮＤＩ）、転送電力制御（Transmit Power Control：ＴＰＣ）、ホッピングフラグ（Hopping Flag）及びＣＱＩ（Channel Quality Information）要請をさらに含むことを特徴とする請求項２５に記載のＢＳ。
【発明の詳細な説明】
【技術分野】
【０００１】
本発明は、一般的に無線通信システムに関し、特にユーザ端末（User Equipment：ＵＥ）から転送される基準信号の機能を向上させることに関する。一般的に、上記基準信号は与えられた時間にＵＥが経験するチャンネル媒体推定を提供する。
【背景技術】
【０００２】
本願では、
【数１】
2014116952.tif 000003
をＸａｂと表記する。
【０００３】
通信システムの適切な機能のために、いろいろな種類の信号がサポートされる。このような信号は、情報内容を伝達するためのデータ信号、及び通信システムのアップリンク（UpLink：ＵＬ）からＵＥが各々自身のサービング（serving）基地局（Base Station：BS or Node B）に転送し、通信システムのダウンリンク（Down Link：ＤＬ）からサービングノードＢがＵＥに転送する、上記データ信号を処理するための情報を伝達する制御信号を含む。例えば、制御信号はデータパケット受信に対応して転送され、ハイブリッド自動再転送要請（Hybrid Automatic Repeat request：ＨＡＲＱ）過程と関連した肯定または否定確認信号（ＡＣＫまたはＮＡＣＫの各々）、例えば、ＨＡＲＱ−ＡＣＫ及びＨＡＲＱ−ＮＡＣＫ信号を含む。また、制御信号はＵＥが自身が経験するＤＬチャンネル状況に対する情報を提供するために、ノードＢに転送するチャンネル品質指示（Channel Quality Indication：ＣＱＩ）信号を含む。また、パイロット（pilots）とも知られている基準信号（ＲＳｓ）は、一般的にチャンネル推定を提供し、転送されるデータまたは制御信号に対する同調復調を可能にするために転送されたり、上記ＵＥが経験するＵＬチャンネル状況を測定するために、受信ノードＢにより使われるように転送される。データまたは制御信号の復調に使われるＲＳは復調ＲＳ（DeModulation RS）と呼ばれることができ、これは事実上、一般的に広帯域であり、ＵＬチャンネル媒体をサウンディングする（sounding）ＲＳは、サウンディングＲＳ（ＳＲＳ）と呼ばれることができる。
【０００４】
ＵＥ、例えば、端末または移動局は固定されたり移動することができ、無線装置、携帯電話、個人用コンピュータ装置などでありうる。ノードＢは一般的に基地局転送システム（Base Transceiver System：ＢＴＳ）、アクセスポイント（Access Point：ＡＰ）、または一部の他の類似技術とも呼ばれる固定局である。
【０００５】
ＵＥは、物理アップリンク共有チャンネル（Physical Uplink Shared CHannel：ＰＵＳＣＨ）を介してデータまたは制御情報を伝達する信号を転送し、ＰＵＳＣＨ転送の不在時、上記ＵＥは物理アップリンク制御チャンネル（Physical Uplink Control CHannel：ＰＵＣＣＨ）を介して制御信号を転送する。ＵＥは、物理ダウンリンク共有チャンネル（Physical Downlink Shared CHannel：ＰＤＳＣＨ）を介してデータ情報を伝達する信号を受信し、ＤＬ制御信号は物理ダウンリンク制御チャンネル（Physical Downlink Control CHannel：ＰＤＣＣＨ）を介して伝達される。
【０００６】
ＵＥは、例えば、１ミリ秒（millisecond：ｍｓｅｃ）の持続時間を有するサブフレームに該当できる転送時間間隔（Transmission Time Interval：ＴＴＩ）に亘ってデータまたは制御信号を転送する。
【０００７】
図１は、従来の通信システムのＵＬでＰＵＳＣＨ転送のためのＵＬサブフレーム構造を示す図である。
【０００８】
図１を参照すると、ＰＵＳＣＨ転送のためのサブフレーム（１１０）は２つのスロット（１２０）を含み、上記２つのスロットの各々は７個のシンボルを含む。各シンボル（１３０）は、チャンネル伝播影響による干渉を緩和するために使われる循環前置（Cyclic Prefix：ＣＰ）を含む。各スロットの内の一部のシンボルはＤＭＲＳ転送またはＳＲＳ転送のために使われる。例えば、図１で、シンボル（１４０及び１６０）はＤＭＲＳ転送のために使われて、シンボル（１５０）はＳＲＳ転送のために使われる。また、サブフレームの内の第２のＤＭＲＳ、即ち、シンボル（１６０）は負の値（“−１”の値）で転送されたり転送されないことができ、これは以下に、より詳細に説明される。
【０００９】
ＰＵＳＣＨ転送帯域幅（Band Width：ＢＷ）は本明細書でリソースブロック（Resource Blocks：ＲＢｓ）と呼ばれる周波数リソースユニットを含む。図１で、各ＲＢはリソースエレメント（Resource Elements：ＲＥｓ）とも呼ばれることができるＮRBSC=12個の副搬送波（１７０）を含む。ＵＥは、ＰＵＳＣＨ転送のために１つまたはその以上の連続するＲＢの割当を受けることができ、ＰＵＣＣＨ転送のために１つのＲＢの割当を受けることができる。
【００１０】
ＵＥによるＰＵＳＣＨ転送またはＰＤＳＣＨ受信は、ＰＤＣＣＨでのダウンリンク制御情報（Downlink control Information：ＤＣＩ）フォーマットを使用するノードＢが転送する各スケジューリング割当（Scheduling Assignment：ＳＡ）を通じて、または半−持続的スケジューリング（Semi-Persistent Scheduling：ＳＰＳ）を通じてノードＢにより動的にスケジューリングできる。上記ＤＣＩフォーマットは、ＰＤＳＣＨからノードＢによるデータパケット転送（即ち、ＤＬ ＳＡ）、またはＰＵＳＣＨからノードＢへのデータパケット転送に対してＵＥに知らせる。ＵＥは一定のサブフレームからＳＰＳにデータパケットを転送または受信する。
【００１１】
図２は、ノードＢにおけるＳＡの従来のコーディング過程を示すブロック図である。
図２を参照すると、ＵＥの媒体接近制御（Medium Access Control：ＭＡＣ）階層ＩＤ（IDentity：ＩＤ）（または、ＵＥ ＩＤ）は、ＳＡが対象にするものをＵＥが確認することができるようにするために、ＳＡ情報ビットの循環重複検査（Cyclic Redundancy Check：ＣＲＣ）をマスキングする。上記ＳＡ情報ビット（２１０）のＣＲＣ計算（２２０）が遂行され、ＣＲＣはＣＲＣビットとＵＥ ＩＤビット（２４０）との間の排他的ＯＲ（ＸＯＲ）演算（２３０）を使用してマスキングされる。ここで、ＸＯＲ（０，０）＝０、ＸＯＲ（０，１）＝１、ＸＯＲ（１，０）＝１、及びＸＯＲ（１，１）＝０である。上記マスキングされたＣＲＣは上記ＳＡ情報ビットに付加され（２５０）、（従来のコーディングのような）チャンネルコーディング（２６０）が遂行される。以後、割り当てられたＰＤＣＣＨリソースにレートマッチング（rate matching）（２７０）が遂行され、インターリービング（interleaving）と変調（１８０）が遂行される。結果的に、ＳＡは制御信号（２９０）として転送される。説明の便宜のために、ＣＲＣ及びＵＥ ＩＤとも同一な長さ、例えば１６ビットを有することと仮定する。
【００１２】
ＵＥ受信部は、ノードＢ転送部の逆動作を遂行して自身に割り当てられたＳＡがあるか否かを判断する。
【００１３】
図３は、ＵＥでのＳＡの従来のデコーディング過程を示すブロック図である。
図３を参照すると、受信された制御信号（３１０）は復調され、結果ビットはデ−インターリービングされる（３２０）。ノードＢ転送部に適用されるように、レートマッチング（３３０）はまた格納され、以後にチャンネルデコーディング（３４０）が遂行される。上記ＳＡビット（３６０）は、ＵＥ ＩＤ（３８０）にＸＯＲ演算（３７０）を適用してデマスキングされる上記ＣＲＣビット（３５０）を抽出した後、獲得される。結局、ＵＥはＣＲＣテスト（３９０）を遂行する。ＣＲＣテストが通過されれば、ＵＥはＳＡが有効であると結論を下し、信号受信（即ち、ＤＬ ＳＡ）または信号転送（即ち、ＵＬ ＳＡ）のためのパラメータを決定する。ＣＲＣテストが通過されなければ、ＵＥは受信されたＳＡを無視する。
【００１４】
一般的に、ＵＬ ＳＡに含まれる一部の情報要素（Information Elements：ＩＥｓ）の一部に対する情報を提供するためにＵＬ ＳＡの一例が以下の＜表１＞のように提供される。
【００１５】
【表１】
2014116952.tif 000004
【００１６】
第１のＩＥは、ＲＢに関するリソース割当（Resource Allocation：ＲＡ）を提供する。単一搬送波周波数分割多重接続（Single Carrier Frequency Division Multiple Access：ＳＣ−ＦＤＭＡ）において、単一転送ＢＷが互いに隣接したものと仮定される。ＮULRBＲＢの作用ＢＷに対し、ＵＥへの可能な隣接ＲＢ割当の数は
【数２】
2014116952.tif 000005
であり、
【数３】
2014116952.tif 000006
ビットでシグナリングできる。ここで、
【数４】
2014116952.tif 000007
は次に大きい整数に四捨五入する天井演算（ceiling operation）を表す。例えば、ＮULRB＝50個のＲＢに対し、必要なＲＡ ＩＥビットの数は１１である。一般的に、転送方法とは関わらず、ＵＬ ＳＡはＲＡ ＩＥを含むことと仮定される。
【００１７】
第２のＩＥは、変調及びコーディング技法（Modulation and Coding Scheme：ＭＣＳ）を提供する。例えば、変調は直交位相偏移変調（Quadrature Phase Shift Keying：ＱＰＳＫ）、直交振幅変調（Quadrature Amplitude Modulation：ＱＡＭ）１６、またはＱＡＭ６４であり、コーディングレートは１／１６と１との間の離散値を有することができる。
【００１８】
第３のＩＥは、新たなデータ指標（New Data Indicator：ＮＤＩ）である。ＵＥが新たな転送ブロック（Transport Block：ＴＢ）を転送しなければならない場合、上記ＮＤＩは１に設定され、上記ＵＥが以前のＰＵＳＣＨ転送と同一なＴＢを転送しなければならない場合、上記ＮＤＩは０に設定される（同期ＵＬ ＨＡＲＱが仮定される）。
【００１９】
第４のＩＥは、ＰＵＳＣＨに対する転送電力制御（Transmit Power Control：ＴＰＣ）命令及びＳＲＳ転送電力調節を提供する。
【００２０】
第５のＩＥは、ＤＭＲＳに使われる固定振幅ゼロ自己−相関（Constant Amplitude Zero Auto-Correlation：ＣＡＺＡＣ）シーケンスの転送のための循環シフト（Cyclic Shift：ＣＳ）を表す循環シフト指示子（Cyclic Shift Indicator：ＣＳＩ）である。以下に説明するように、ＣＡＺＡＣシーケンスの互いに異なるＣＳの使用は、各ＲＳの直交多重化を提供することができる。
【００２１】
第６のＩＥ、ホッピングフラグ（Hopping Flag）は、周波数ホッピングがＰＵＳＣＨ転送に適用されるか否かを表す。
【００２２】
第７のＩＥ、ＣＱＩ要請は、ＵＥがＰＵＳＣＨ転送において、ＤＬ ＣＱＩ報告を含むべきか否かを表す。
【００２３】
ノードＢがＵＥからのＰＵＳＣＨ転送のためのＲＢ及びＭＣＳを適切に決定するために、上記ノードＢは上記ＵＥが経験するＵＬチャンネル媒体（即ち、ＵＬ ＣＱＩ）を作用ＢＷの少なくとも一部に亘って推定して、各信号対干渉及び雑音比率（Signal-to-Interference and Noise Ratio：ＳＩＮＲ）推定を獲得する。このようなＵＬ ＣＱＩは、一般的に上記ＵＥにより転送されるＳＲＳを使用するノードＢにより獲得される。
【００２４】
図４は、ＵＬサブフレームでの従来のＳＲＳ多重化方法を示す図である。具体的に、図４は２つのサブフレーム毎に最後のサブフレームシンボル（４６０及び４６５）で発生するＳＲＳ転送を図示する。
【００２５】
図４を参照すると、ＵＥ１及びＵＥ２は第１サブフレーム（４０１）の間互いに異なるＢＷでＰＵＳＣＨ転送を多重化し、ＵＥ２及びＵＥ３は第２サブフレーム（４０２）の間互いに異なるＢＷでＰＵＳＣＨ転送を多重化し、ＵＥ４及びＵＥ５は第３サブフレーム（４０３）の間互いに異なるＢＷでＰＵＳＣＨ転送を多重化する。即ち、ＵＥ１データ（４１０）及びＵＥ２データ（４２０）は、上記第１サブフレーム（４０１）で互いに異なるＢＷから転送され、ＵＥ２データ（４２０）及びＵＥ３データ（４３０）は、上記第２サブフレーム（４０２）で互いに異なるＢＷから転送され、ＵＥ４データ（４４０）及びＵＥ５データ（４５５）は、上記第３サブフレーム（４０３）で互いに異なるＢＷから転送される。したがって、ＵＥ１、ＵＥ２、ＵＥ３、ＵＥ４、及びＵＥ５は、各々ＤＭＲＳ（４１５、４２５、４３５、４４５、及び４５５）を転送する。ＳＲＳ転送を行うＵＥは同一なサブフレームでＰＵＳＣＨ転送をしたり、しないことができ、これらが同一なサブフレームで共存する場合、ＳＲＳ及びＰＵＳＣＨ転送は互いに異なるＢＷに位置することができる。
【００２６】
本明細書で、ＲＳ（ＤＭＲＳまたはＳＲＳ）は、ＣＡＺＡＣシーケンスから構成されることと仮定される。このようなシーケンスの例は＜数式１＞のように与えられる。
【００２７】
【数５】
2014116952.tif 000008
【００２８】
上記＜数式１＞で、ＬはＣＡＺＡＣシーケンスの長さであり、ｎはシーケンス要素のインデックスであり、ｎ＝｛０，１，２，…，Ｌ−１｝であり、ｋはシーケンスインデックスである。プライム（prime）長さＬのＣＡＺＡＣシーケンスに対し、シーケンスの数はＬ−１である。したがって、シーケンスの全体ファミリーは｛１，２，…，Ｌ−１｝乃至ｋ範囲で定義される。しかしながら、ＤＭＲＳまたはＳＲＳ転送に対するシーケンスは＜数式１＞のみにより生成されるものではない。
【００２９】
例えば、１ＲＢはＮRBSC＝１２個のＲＥを含むことと仮定されるので、結果シーケンスがＣＡＺＡＣシーケンスの定義を厳格に従わないにもかかわらず、ＣＡＺＡＣ基盤シーケンスは（長さ１３のような）より長いプライム長さＣＡＺＡＣシーケンスを切るとか、終わり部分に第１要素を反復させて（長さ１１のような）より短いフレーム長さＣＡＺＡＣシーケンスを延長させることにより生成できる。
【００３０】
または、ＣＡＺＡＣシーケンスはＣＡＺＡＣ属性を満たすシーケンスに対し、コンピュータサーチを通じて生成できる。
【００３１】
図５は、従来のＲＳ転送過程を示すブロック図である。具体的に、図５はＣＡＺＡＣシーケンスに基づいてＵＥでのＤＭＲＳまたはＳＲＳ転送過程を図示する。
【００３２】
ＣＡＺＡＣシーケンスの周波数領域バージョンは、離散フーリエ変換（discrete Fourier Transform：ＤＦＴ）を時間領域バージョンに適用することにより獲得できる。非−連続的ＲＥを選択することにより、櫛形スペクトルがＤＭＲＳまたはＳＲＳに対して獲得できる。コーム（combs）の数は反復係数（Repetition Factor：ＲＰＦ）と呼ばれる。櫛形スペクトルは（周波数分割を通じて）同一でないＢＷでＳＲＳ転送を重複させる直交多重化に有用である。このようなＳＲＳは互いに異なるＣＳを使用して直交多重化できない互いに異なる長さのＣＡＺＡＣシーケンスにより構成される。
【００３３】
図５を参照すると、周波数領域ＣＡＺＡＣシーケンス（５１０）が生成され、割り当てられた転送ＢＷ（５３０）でのＲＥが副搬送波マッピング（５２０）により選択され、逆高速フーリエ変換（Inverse Fast Fourier Transform：ＩＦＦＴ）が遂行され（５４０）、ＣＳ（５５０）が適用され、ＣＰ（５６０）及びフィルタリング（５７０）が適用され、生成された信号が転送される（５８０）。また、ＵＥはＤＭＲＳまたはＳＲＳが転送されるＲＥでのゼロパディング（図示せず）を適用する。説明の簡潔性のために、従来に知られたようなディジタル−アナログ変換部、アナログフィルタ、増幅部、及び転送部アンテナのような追加的転送部回路を図示しない。
【００３４】
ノードＢ受信部は、ＵＥ転送部の逆機能を遂行する。
図６は、従来のＲＳ受信過程を示すブロック図である。具体的に、図６は図５と反対になる動作を図示する。
【００３５】
図６を参照すると、アンテナは無線−周波数（Radio-Frequency：ＲＦ）アナログ信号を受信し、ディジタル受信信号（６１０）がフィルタ、増幅部、周波数下向き−変換部、及びアナログ−ディジタル変換部（図示せず）のような処理部を通過した後、生成された結果、ディジタル受信信号（６１０）は時間ウィンドウイング部（windowing unit）（６２０）を通過しながらＣＰが除去される（６３０）。以後、転送されたＣＡＺＡＣ基盤シーケンスのＣＳは再格納され（６４０）、高速フーリエ変換（Fast Fourier Transform：ＦＦＴ）（６５０）が適用され、転送されたＲＥに対する受信帯域幅（６６０）の制御を通じた選択が副搬送波マッピング（６６５）により遂行され、ＣＡＺＡＣ−基盤シーケンス複製（６８０）により増加する（６７０）相関が適用される。結果的に、出力（６９０）が獲得されて、これは（ＤＭＲＳに対する）時間−周波数補間部のようなチャンネル推定部または（ＳＲＳに対する）ＵＬ ＣＱＩ推定部を通過することができる。
【００３６】
ＣＡＺＡＣシーケンスの互いに異なるＣＳは直交シーケンスを提供する。したがって、与えられたＣＡＺＡＣシーケンスに対し、互いに異なるＣＳは互いに異なるＵＥに割り当てられることができ、同一なＲＢでのこのようなＵＥにより転送されるＲＳの直交多重化を達成することができる。このような原理は図７に図示される。
【００３７】
図７は、ＣＡＺＡＣシーケンスの互いに異なる循環シフトを使用する従来の直交ＲＳ多重化を示す図である。
【００３８】
図７を参照すると、互いに直交する同一なＣＡＺＡＣシーケンスの複数のＣＳ（７２０、７４０、７６０、及び７８０）と対応的に生成される複数のＣＡＺＡＣシーケンス（７１０、７３０、７５０、及び７７０）のために、ＣＳ値Δ７９０は（時間不確実性誤り及びフィルタ過剰影響を含む）チャンネル伝播遅延拡散Ｄを超過しなければならない。Ｔｓが１つのシンボル持続時間の場合、ＣＳの数は
【数６】
2014116952.tif 000009
と同一であり、ここで、
【数７】
2014116952.tif 000010
はより小さな整数に四捨五入する“床演算（floor operation）”を表す。
【００３９】
多重−ユーザ多重−入力多重−出力（Multi-User Multiple-Input Multiple-Output：ＭＵ−ＭＩＭＯ）は概して通信システムのスペクトル効率を向上させることができる。複数のＵＥからのＰＵＳＣＨ転送はＭＵ−ＭＩＭＯによりＢＷの少なくとも一部を共有する。ノードＢがＭＵ−ＭＩＭＯ ＵＥが経験したチャンネル媒体の非−干渉推定を獲得できる場合、ＭＵ−ＭＩＭＯが容易になる。これは、各ＤＭＲＳに対する直交受信を必要とする。上記ＭＵ−ＭＩＭＯ ＵＥからのＰＵＳＣＨ転送が完全に同一なＢＷを共有する場合、直交ＤＭＲＳ多重化は同一なＣＡＺＡＣ−基盤シーケンスの互いに異なるＣＳを使用して獲得できる。ＵＬ ＳＡでのＣＳＩ ＩＥはＣＳを表す。しかしながら、上記ＭＵ−ＭＩＭＯ ＵＥからのＰＵＳＣＨ転送が完全に同一なＢＷを共有しない場合、各ＣＡＺＡＣシーケンスが互いに異なる長さを有するため、互いに異なるＣＳを使用する直交ＤＭＲＳ多重化が可能でない。しかしながら、時間領域での直交カバーリングコード（Orthogonal Covering Codes：ＯＣＣＳ）のＤＭＲＳ転送への適用は、また直交ＤＭＲＳ多重化を提供することができる。例えば、２つのＤＭＲＳシンボルを具備する図１に図示されたサブフレーム構造を使用することによりＯＣＣは｛１，１｝及び｛１，−１｝でありうる。ＣＳに対して言わば、ＵＬ ＳＡはＰＵＳＣＨでのＤＭＲＳ転送に対するＯＣＣを表さなければならない。
【００４０】
ＳＲＳ転送ＢＷはＵＥが経験するＵＬ ＳＩＮＲによって変わることができる。低いＵＬ ＳＩＮＲを有するＵＥに対し、ノードＢはＢＷユニット当たり転送される相対的に大きいＳＲＳ電力の比率を提供するために小さいＳＲＳ転送ＢＷを割り当てることができ、これによって、ＳＲＳから獲得されるＵＬ ＣＱＩ推定の品質が向上する。反対に、高いＵＬ ＳＩＮＲを有するＵＥに対し、ノードＢは大きいＳＲＳ転送ＢＷを割り当てることができるが、これはＵＬ ＣＱＩ推定が大きいＢＷに亘って獲得される間、良いＵＬ ＣＱＩ推定品質がＳＲＳから達成できるためである。
【００４１】
ＳＲＳ転送ＢＷに対するいろいろな組合が以下の＜表２＞に図示されたようにサポートできる。
【００４２】
ノードＢは放送チャンネルを介して構成をシグナリングすることができる。例えば、３ビットは８個の構成を表すことができる。上記ノードＢは構成ｃに対する値ｂを指示することにより（ＲＢで）可能なＳＲＳ転送ＢＷｍcSRS,bを各ＵＥに個別的に割り当てることができる。したがって、上記ノードＢはＢＷｍcSRS,0、ｍcSRS,1、ｍcSRS,2、及びｍcSRS,3でＵＥからのＳＲＳ転送を多重化することができる（＜表２＞の各々ｂ＝０、ｂ＝１、及びｂ＝３）。
【００４３】
【表２】
2014116952.tif 000011
【００４４】
最大ＳＲＳ ＢＷの変化は主に可変的なＰＵＣＣＨサイズを受容するようにする。上記ＰＵＣＣＨは作用ＢＷの２つのエッジから転送され、ＳＲＳにより干渉されないことと仮定される。したがって、（ＲＢで）ＰＵＣＣＨサイズが大きいほど最大ＳＲＳ転送ＢＷが小さい。
【００４５】
図８は、多様な帯域幅で従来のＳＲＳ転送の多重化を示す図である。具体的に、図８は＜表２＞の構成ｃ＝３に対する多重ＳＲＳ転送ＢＷの概念をさらに図示する。
【００４６】
図８を参照すると、ＰＵＣＣＨは作用ＢＷの２つのエッジ（８０２及び８０４）に位置し、ＵＥはｍ3SRS,0ＲＢ（８１２）、ｍ3SRS,1ＲＢ（８１４）、ｍ3SRS,2ＲＢ（８１６）、またはｍ3SRS,3ＲＢ（８１８）でＳＲＳ転送ＢＷを構成する。一部のＲＢ（８０６及び８０８）はサウンディングされないことがあるが、各ＵＬ ＳＩＮＲがＳＲＳ転送が遂行される近くのＲＢからインターポレーティングできるので、これはこのようなＲＢでのＰＵＳＣＨ転送をスケジューリングするノードＢの能力にいつも影響を及ぼさない。また、ノードＢは最大ＳＲＳ ＢＷを除外したＳＲＳ ＢＷに対し、ＵＥにＳＲＳ転送の開始周波数位置を割り当てる。
【００４７】
各ＵＥに対するＳＲＳ転送パラメータは上位階層シグナリング、例えば、無線リソース制御（Radio Resource control：ＲＲＣ）シグナリングを通じてノードＢにより構成されることと仮定される。このようなＳＲＳ転送パラメータは、転送ＢＷ、（ＳＲＳが櫛形スペクトルを有する場合）コーム（comb）、ＣＳ、開始ＢＷ位置、周期（例えば、毎５サブフレーム毎に１つのＳＲＳ転送）、開始サブフレーム（例えば、１セットの１０００個のサブフレームでの第１サブフレーム）、及び一定のパターンに従う周波数ホッピングが連続的なＳＲＳ転送の間で可能か否かに対する表示を含むことができる。
【００４８】
セルでＵＥ位置に概して独立的なサービス品質を満たすために、隣接セルの内でのＲＢの割当のためのソフト周波数再使用に基づいたセル間干渉調節（Inter-Cell Interference Coordination：ＩＣＩＣ）を通じてセルエッジ近くに位置したＵＥが経験するセル間干渉を緩和させることができる。セルエッジＵＥが専用に使用するようにするための一部のＲＢの各セルへの割当は、セル−エッジＵＥの分布（位置及び／または転送電力必要条件）及び処理量必要条件を考慮して半−静的または動的ネットワーク調節によりなされることができる。
【００４９】
図９は、従来の周波数領域ＩＣＩＣの適用を図示する。
図９を参照すると、ＵＬ作用ＢＷ（９１０）は、６個セットのＲＢに分割され、第１及び第４セットはセル１（９２０）のセル−エッジＵＥに割り当てられ、第２及び第５セットはセル２、４、及び６（９３０）のセル−エッジＵＥに割り当てられ、第３及び第６セットはセル３、５、及び７（９４０）のセル−エッジＵＥに割り当てられる。上記ＲＢセットは具現の理由により、または周波数多様性の最大化のために互いに隣接しない。ノードＢは全体作用ＢＷに亘ってＲＢを使用してセル−内部ＵＥからのＰＵＳＣＨ転送をスケジューリングすることができ、割り当てられたセットのＲＢのみを使用してセル−エッジＵＥからのＰＵＳＣＨ転送をスケジューリングすることができる。
【００５０】
図１０は、従来の異種網（heterogenerous network）を示す図である。
ＩＣＩＣは異種網で有利であり、図１０に図示したように、マクロ−ノードＢ（１０１０）によりサービスを受けるマクロ−セルは、各マイクロ−ノードＢによりサービスを受けるマイクロ−セル（１０２０及び１０３０）を含む。上記マクロ−ノードＢは、マイクロ−ノードＢより広い領域をカバーするので、上記マクロ−ノードＢに接続されるＵＥ（マクロ−ＵＥ）は、マイクロ−ノードＢに接続されるＵＥ（マイクロ−ＵＥ）より概してより高い電力で信号を転送することができる。したがって、特にマクロ−ＵＥとマイクロ−ＵＥが全て自身のセルエッジに近く位置する場合、マクロ−ＵＥはマイクロ−ＵＥに相当な干渉を発生させる。
【００５１】
従来のＳＲＳホッピング方法によって、ＳＲＳ転送は最大に構成されたＳＲＳ ＢＷに亘ってホッピングし（ｂ＞０のＢＷｍSRS,bのＳＲＳ転送はｍSRS,0として定義されたＢＷに亘ってホッピングする）。セル−内部ＵＥは概してＰＵＳＣＨ転送のために使われる全体作用ＢＷに亘ってＳＲＳを転送しなければならず、セル−エッジＵＥは上記作用ＢＷの一部のみでＳＲＳを転送しなければならないので、これは確かにＩＣＩＣのために非効率的である。より重要なことは、異種網に対し、マイクロ−セルに隣接したマクロ−セルによるＳＲＳ転送が全体作用ＢＷに亘ってホッピングすることは、マイクロ−ＵＥによるＳＲＳ転送に大きい干渉を起こすことができる。したがって、最大転送ＢＷを有しないＳＲＳホッピングを最大に構成されたＳＲＳ転送ＢＷの一部で起こるようにすることが有利である。
【００５２】
周波数−領域スケジューリングは、チャンネルの周波数選択を用いることができ、ＰＵＳＣＨスケジューリングは各ＳＩＮＲが（例えば、比例−公正メトリック（proportional-fair metric）のような）スケジューラーメトリック（scheduler metric）によって最適化される作用ＢＷの一部で遂行できる。作用ＢＷの非隣接した部分に亘ってＰＵＳＣＨスケジューリングを遂行するためには、非隣接したＢＷの上で同時的ＳＲＳ転送を遂行することが有利である。これは、ＳＲＳ転送の総ＢＷが同一に維持されるという仮定下にＳＲＳ多重化性能に影響を与えず、ＳＲＳオーバーヘッドを増加させない。
【先行技術文献】
【特許文献】
【００５３】
【特許文献１】国際公開第２０１０／１５１０９２号
【発明の概要】
【発明が解決しようとする課題】
【００５４】
本発明の目的は、非隣接したＢＷに亘ってＳＲＳ転送を可能にする方法を提供することにある。
【００５５】
本発明の他の目的は、最大ＳＲＳ転送ＢＷより小さいＢＷに亘ってＳＲＳ転送のホッピングを可能にする方法を提供することにある。
【００５６】
本発明の更に他の目的は、ＵＥがＰＵＳＣＨでのＤＭＲＳ転送に適用しなければならないＯＣＣを表すためのＵＬ ＳＡを可能にする方法を提供することにある。
【課題を解決するための手段】
【００５７】
本発明は前述した従来の問題の少なくとも一部を解決するために考案されたものであって、本発明はＣＳ及びＯＣＣの適用を通じてＤＭＲＳ転送パラメータの構成をサポートし、最大ＳＲＳ帯域幅の一部のみでＳＲＳ帯域幅ホッピングをサポートし、作用帯域幅の非隣接した部分に亘って同一なＵＥからの同時的ＳＲＳ転送がなされる方法及び装置を提供する。
【００５８】
本発明の一態様は、ＰＤＣＣＨで転送され、各ＵＲによりデコーディングされるダウンリンク制御情報（Downlink Control Information：ＤＣＩ）フォーマットの情報要素（Information Element：ＩＥ）を使用してＣＡＺＡＣシーケンスを使用し、ＵＥによりＤＭＲＳ転送に適用される、常に互いに異なるＣＳが互いに異なるＯＣＣと関連され、同一なＩＥがＵＥによるＤＭＲＳ転送のためにＣＳとＯＣＣ全てを構成したり、ＯＣＣのみを構成することに使われる、ＣＳ及び／又はＯＣＣを動的に割り当てるノードＢを提供することを目的とする。
【００５９】
本発明の他の態様は、ＳＲＳ転送帯域幅がＳＲＳ転送に対して許容された最大帯域幅の特定部分のみに存在するように制限されたＵＥにより転送されるＳＲＳの帯域幅ホッピングパターンを提供することを目的とする。上記ＵＥからのＳＲＳ転送がＳＲＳ転送に対して許容された最大帯域幅の特定部分のみに存在するか否かに関わらず、または互いに異なるＳＲＳ帯域幅ホッピングパターンがそれぞれの場合にＵＥにより使用されるか否かに関わらず、上記ＳＲＳ帯域幅パターンは同一である（帯域幅が制限されたＳＲＳ転送または帯域幅が制限されていないＳＲＳ転送）。
【００６０】
本発明の更に他の態様は、多数のそれぞれの非隣接した帯域幅に亘って複数のＳＲＳを同時に転送するように構成されたＵＥを提供することを目的とする。上記複数のＳＲＳのうちの一部は、互いに異なるＳＲＳ転送の場合によって同一な帯域幅で転送されることができ、残りのＳＲＳはＳＲＳ帯域幅ホッピングパターンによって転送できる。
【００６１】
本発明の一態様に従う基地局が物理ダウンリンク制御チャンネル（Physical downlink control Channels：ＰＤＣＣＨｓ）から各セットのダウンリンク制御情報（Downlink control Information：ＤＣＩ）フォーマットをユーザ端末（User Equipments：ＵＥｓ）に転送するシステムにおいて、上記ＤＣＩフォーマットの１セットの１サブセットからの各ＤＣＩフォーマットがデータを構成する情報要素（Information Elements：ＩＥｓ）及び上記ＵＥから上記基地局への基準信号（Reference Signal：ＲＳ）転送を含み、上記ＩＥは２進要素及びＵＥによるＲＳ転送のために循環シフト（Cyclic Shift：ＣＳ）と直交カバーコード（Orthogonal Cover Code：ＯＣＣ）を割り当てるＲＳ構成（RS Configuration：ＲＳC）ＩＥを含む、第１のＲＳ転送のために第１のＣＳ及び第１のＯＣＣを第１のＵＥに割り当てて、第２のＲＳ転送のために第２のＣＳ及び第２のＯＣＣを第２のＵＥに割り当てる方法であって、ＤＣＩフォーマットの１ンセットの１サブセットに含まれた第１のＤＣＩフォーマットのＲＳＣ ＩＥを通じて上記第１のＵＥによる上記第１のＲＳ転送のために上記第１のＣＳ及び上記第１のＯＣＣを指示するステップ、及びＤＣＩフォーマットの１セットの１サブセットからの第２のＤＣＩフォーマットでのＲＳＣ ＩＥを通じて上記第２のＵＥによる上記第２のＲＳ転送のために上記第２のＣＳ及び上記第２のＯＣＣを指示するステップを含み、上記第１のＣＳは上記第２のＣＳと異なり、上記第１のＯＣＣは上記第２のＯＣＣと異なる。
【００６２】
本発明の他の態様に従うユーザ端末（User Equipment：ＵＥ）が基地局に予め定義された最大基準信号（Reference Signal：ＲＳ）帯域幅サイズ以下の帯域幅サイズを有するＲＳを転送する通信システムにおいて、上記ＲＳ帯域幅サイズ及びＲＳ帯域幅位置を制限する方法であって、第１セットのサブフレームで第１帯域幅サイズを有し、第１帯域幅位置にあるＲＳを転送するステップ、及び第２セットのサブフレームで第２帯域幅サイズを有し、第２帯域幅位置にあるＲＳを転送するステップを含み、上記第２帯域幅サイズは上記予め定義された最大ＲＳ帯域幅サイズより小さい。
【００６３】
本発明の他の態様に従うユーザ端末（User Equipment：ＵＥ）が基地局に基準信号（Reference Signal：ＲＳ）を転送する通信システムにおいて、上記ＵＥがＲＳ転送のために１セットの帯域幅位置のうちの１つの帯域幅位置を決定する方法であって、初期ＲＳ転送に対して予め決まった帯域幅位置または最後のＲＳ転送の帯域幅位置に関するホッピングパターンによって決まる次の帯域幅位置から始めて、上記セットの帯域幅位置に属する帯域幅位置が確認されるまで帯域幅位置ホッピングパターンによってＲＳ帯域幅位置の数を決めるステップ、及び上記確認された帯域幅位置で上記ＲＳを転送するステップを含む。
【００６４】
本発明の他の態様に従うユーザ端末（User Equipment：ＵＥ）が基地局に基準信号（Reference Signal：ＲＳ）を転送する通信システムにおいて、第１のＵＥが第１帯域幅に亘って第１のＲＳを転送し、第２のＵＥが第２帯域幅に亘って第２のＲＳを転送する方法であって、上記第１のＵＥが上記第１帯域幅での第１帯域幅ホッピングパターンによって上記第１のＲＳを転送するステップ、及び上記第２のＵＥが上記第２帯域幅での第２帯域幅ホッピングパターンによって上記第２のＲＳを転送するステップを含み、上記第１帯域幅は上記第２帯域幅より大きく、上記第２帯域幅の少なくとも一部を含む。
【００６５】
本発明の他の態様に従うユーザ端末（User Equipment：ＵＥ）が基地局と通信する通信システムにおいて、上記ＵＥが転送時間間隔（Transmission Time Interval：ＴＴＩ）の同一な転送シンボル間複数の基準信号（Reference Signal：ＲＳｓ）を転送する方法であって、上記基地局が上記ＵＥに同時ＲＳ転送のために複数の非隣接した帯域幅位置を知らせるステップ、及び上記ＵＥが上記複数の非隣接した帯域幅位置で複数のＲＳを転送するステップを含み、上記複数のＲＳの少なくとも一部は上記ＵＥが同一なＴＴＩで転送できる他の信号の帯域幅サイズと異なる帯域幅サイズを有する。
【００６６】
本発明の他の態様に従う予め定義された最大基準信号（Reference Signal：ＲＳ）帯域幅サイズ以下の帯域幅サイズを有するＲＳを転送するユーザ端末（User Equipment：ＵＥ）装置であって、第１セットのサブフレームで第１帯域幅サイズを有し、第１帯域幅位置にあるＲＳを転送し、第２セットのサブフレームで第２帯域幅サイズを有し、第２帯域幅位置にあるＲＳを転送する転送部を含み、上記第２帯域幅サイズは上記予め定義された最大ＲＳ帯域幅サイズより小さい。
【００６７】
本発明の他の態様に従う１セットの帯域幅位置のうちの１つの帯域幅位置で基準信号（Reference Signal：ＲＳ）を転送するユーザ端末（User Equipment：ＵＥ）装置であって、初期ＲＳ転送に対して予め決まった帯域幅位置または最後のＲＳ転送の帯域幅位置に関するホッピングパターンによって決まる次の帯域幅位置から始めて、上記１セットの帯域幅位置に属する帯域幅位置が確認されるまで帯域幅位置ホッピングパターンによってＲＳ帯域幅位置の数を決める帯域幅位置評価部、及び上記確認された帯域幅位置で上記ＲＳを転送する転送部を含む。
【００６８】
本発明の他の態様に従う第１帯域幅または第２帯域幅に亘って基準信号（Reference Signal：ＲＳ）を転送するユーザ端末（User Equipment：ＵＥ）装置であって、上記第１帯域幅での第１帯域幅ホッピングパターンによってＲＳを転送し、上記第２帯域幅での第２帯域幅ホッピングパターンによってＲＳを転送する転送部を含み、上記第１帯域幅は上記第２帯域幅より大きく、上記第２帯域幅の少なくとも一部を含む。
【００６９】
本発明の他の態様に従う各基準信号（Reference Signals：ＲＳ）がユーザ端末（User Equipment：ＵＥ）装置により同一なＴＴＩで転送できる他の信号の帯域幅サイズと異なる帯域幅サイズを有する複数のＲＳを転送時間間隔（Transmission Time Interval：ＴＴＩ）の同一な転送シンボル間転送するＵＥ装置であって、隣接帯域幅に亘って第１モードでＲＳを転送し、複数の非隣接した帯域幅位置で第２モードでＲＳを転送する転送部を含む。
【発明の効果】
【００７０】
本発明によれば、ユーザ端末（User Equipment：ＵＥ）から転送される基準信号の機能を向上させることができる。
【００７１】
本発明の上記及び他の側面、特徴、及び利点は、添付した図面を参照して以下の詳細な説明により明確になる。
【図面の簡単な説明】
【００７２】
【図１】従来の通信システムのＵＬにおけるＰＵＳＣＨ転送のためのＵＬサブフレーム構造を示す図である。
【図２】ノードＢにおけるＳＡの従来のコーディングステップを示すブロック図である。
【図３】ＵＥにおけるＳＡの従来のデコーディングステップを示すブロック図である。
【図４】ＵＬサブフレームにおける従来のＳＲＳ多重化方法を示す図である。
【図５】従来のＲＳ転送ステップを示すブロック図である。
【図６】従来のＲＳ受信ステップを示すブロック図である。
【図７】ＣＡＺＡＣシーケンスの互いに異なる循環シフトを使用する従来の直交ＲＳ多重化を示す図である。
【図８】多様な帯域幅で従来のＳＲＳ転送の多重化を示す図である。
【図９】従来の周波数領域ＩＣＩＣの適用を示す図である。
【図１０】従来の異種網を示す図である。
【図１１】本発明の一実施形態に従う最大構成ＳＲＳ ＢＷの一部でＳＲＳホッピングの制約を示す図である。
【図１２】最大ＳＲＳ転送ＢＷに亘ってＳＲＳ転送のために使われる第１ホッピングパターンに基づいて本発明の一実施形態に従う最大ＳＲＳ転送ＢＷより小さい、制限されたＢＷに亘るＳＲＳ転送を示す図である。
【図１３】連続するＳＲＳ転送の間に、周波数で最大分離を達成する第２ホッピングパターンに基づいて本発明の一実施形態に従う最大ＳＲＳ転送ＢＷより小さい、制限されたＢＷに亘るＳＲＳ転送を示す図である。
【図１４】本発明の一実施形態に従う多数のＢＷでの同時的ＳＲＳ転送を示す図である。
【図１５】本発明の一実施形態に従うＳＲＳホッピングパターンによって決まる２つのＢＷでの同時的ＳＲＳ転送を示す図である。
【図１６】本発明の一実施形態に従う受信装置の例示的構造を示すブロック図である。
【発明を実施するための形態】
【００７３】
本発明の実施形態は、本発明の技術分野に属した当業者により本発明が実現できるように十分詳細に説明され、他の実施形態が使われることができ、本発明の範囲を逸脱しない範疇内で多様な変形が可能である。したがって、下記の詳細な説明は本発明の範囲を制限せず、請求範囲により定義されるべきである。
【００７４】
さらに、本発明の実施形態は直交周波数分割多重接続（Orthogonal Frequency Division Multiple Access：ＯＦＤＭＡ）通信システムに関して説明するが、本発明はまた一般的に全ての周波数分割多重化（Frequency Division Multiplexing：ＦＤＭ）システムに適用可能であり、単一−搬送波周波数分割多重接続（Single-Carrier Frequency Division Multiple Access：ＳＣ−ＦＤＭＡ）、ＯＦＤＭ、ＦＤＭＡ、離散フーリエ変換（Discrete Fourier Transform：ＤＦＴ）−拡散ＯＦＤＭ、ＤＦＴ−拡散ＯＦＤＭＡ、ＳＣ−ＯＦＤＭＡ、及びＳＣ−ＯＦＤＭに適用可能である。
【００７５】
以下に説明される本発明の多様な実施形態は、直交ＤＭＲＳ多重化のためのＣＳ及びＯＣＣの結合された使用を最適化しながら、時間領域で互いに異なるＯＣＣを使用するＵＥの間でシグナリングがＰＵＳＣＨでの直交ＤＭＲＳ多重化をサポートできるようにし、最大ＳＲＳ ＢＷの一部に亘ってＳＲＳ ＢＷホッピングを可能にし、作用ＢＷの非隣接した部分に亘ってＵＥからの同時的ＳＲＳ転送を可能にすることで、ＵＬ ＲＳ転送の特性を向上させることができる。
【００７６】
本発明の一実施形態によれば、ＵＬ ＳＡでのＣＳＩ ＩＥは、ＣＳと一緒に各ＯＣＣを指示することにより時間領域でＵＥの間の直交ＤＭＲＳ多重化のためのシグナリングサポートを提供するために使われる。したがって、上記ＣＳＩ ＩＥは、ＲＳ構成（RS Configuration：ＲＳＣ）ＩＥと呼ばれる。さらに、上記ＵＬ ＳＡは変化無しでそのまま残されて、ＵＥによるＤＭＲＳ転送のためのＯＣＣを指示するために追加ＩＥが提供されない。代わりに、上記ＲＳＣ ＩＥは、ＤＭＲＳ転送のためのＯＣＣの適用をサポートするＵＥのためにＣＳ値及びＯＣＣ全てをマッピングすることを提供する。
【００７７】
基本的に、本発明の一実施形態によれば、ＤＭＲＳの間の直交分離（orthogonal separation）を最大化したり、直交ＤＭＲＳの多重化性能を最適化する特定の設計基準を満たすマッピングが提供される。
【００７８】
ＣＳＩ ＩＥは、例えば、３ビットで構成され、１セットの８個のＣＳからのＣＳをアドレッシングする。上記１セットの８個のＣＳは、｛ＣＳ０，ＣＳ１，ＣＳ２，ＣＳ３，ＣＳ４，ＣＳ５，ＣＳ６，ＣＳ７｝であり、ＣＳ値は昇順に羅列される。例えば、ｎがＲＥインデックスを表すＣＡＺＡＣ−基盤シーケンス
【数８】
2014116952.tif 000012
の周波数領域の生成に対し、ＤＭＲＳシーケンスは
【数９】
2014116952.tif 000013
であり、ここで、αはα＝2πｎCS／12として与えられたＣＳである。ｎCS＝（ｎDMRS＋ｎDMRS）mod12であり、ＮDMRSは同一なセル内の全てのＵＥに共通である。ｎDMRSは以下の＜表３＞に表したマッピングに基づいてＵＬ ＳＡでＣＳＩ ＩＥの３ビットから決まる。
【００７９】
【表３】
2014116952.tif 000014
【００８０】
時間領域で最も大きい相互距離を有するＣＳ値を選択すれば、２つのＭＵ−ＭＩＭＯ ＵＥに対する最適のＣＳ値はＣＳ０及びＣＳ１であり、３個のＭＵ−ＭＩＭＯ ＵＥに対する最適のＣＳ値はＣＳ０、ＣＳ３、及びＣＳ５であり、４個のＭＵ−ＭＩＭＯ ＵＥに対する最適のＣＳ値はＣＳ０、ＣＳ１、ＣＳ２、及びＣＳ７である。４個以上のＭＵ−ＭＩＭＯ ＵＥに対し、最適のＣＳ値は事実上、初めの４個のＣＳ値からなり、追加的に他の値がありえる。
【００８１】
さらに、サブフレーム当たり２つのＤＭＲＳに対し、可能なＯＣＣは｛１，１｝及び｛１，−１｝である。ＤＭＲＳに対して時間領域ＯＣＣをサポートしないＵＥ（レガシー（legacy）ＵＥ）はＯＣＣ｛１，１｝の絶対的割当を有することに注意しなければならない。時間的チャンネル変化による直交性の損失を避けるために、互いに異なるセットのＣＳ値は２つのＯＣＣに対して割り当てられなければならない。通信システムが絶対的にＯＣＣ｛１，１｝を使用するレガシーＵＥをサポートすることと仮定され、ＯＣＣ｛１，−１｝がＯＣＣ｛１，１｝と同一なＣＳ値を使用してはならないことによって、最大相互距離を有する初めの４個のＣＳ値はＯＣＣ｛１，１｝とリンクされなければならない。＜表４＞は前述した考慮事項に基づいてＲＳＣ ＩＥ値をＣＳ値とＯＣＣの組合にマッピングする例を表す。
【００８２】
【表４】
2014116952.tif 000015
【００８３】
＜表４＞に表すように、ＯＣＣ｛１，１｝と関連したＣＳ値は最大相互距離を有する一方、ＯＣＣ｛１，−１｝と関連したＣＳ値は最大相互距離を有しない。ＯＣＣ｛１，−１｝に対するこのような目的を達成するマッピングは、以下の＜表５＞に表れる。
【００８４】
【表５】
2014116952.tif 000016
【００８５】
＜表３＞でのマッピングを使用するＭＵ−ＭＩＭＯ ＵＥの数を最大化するために、レガシーＵＥ及びＯＣＣを自身のＤＭＲＳ転送に適用するＵＥの混合をサポートしながら、後者のＵＥに対するＣＳ値及びＯＣＣへのＲＳＣ ＩＥマッピングが＜表６＞のように遂行され、ＯＣＣ｛１，１｝はレガシーＵＥが使用しないＣＳ値を使用する。したがって、ＯＣＣ｛１，１｝に対し、レガシーＵＥが使用しないＣＳ値は自身のＤＭＲＳ転送にＯＣＣを適用するＵＥにより使われて、両形態の全てのＵＥにより使われるＣＳ値は自身のＤＭＲＳ転送にＯＣＣを適用するＵＥに対するＯＣＣ｛１，−１｝と結合される。このようなマッピングは相互ＤＭＲＳ直交性を維持しながらサポート可能なＭＵ−ＭＩＭＯ ＵＥの数を最大化する。
【００８６】
【表６】
2014116952.tif 000017
【００８７】
本発明の更に他の実施形態によれば、ＳＲＳホッピングは（ＲＢで）最大に構成されたＳＲＳ転送ＢＷｍSRS,0の一部、またはＵＬ作用ＢＷの一部で可能である。ＵＥがＳＲＳ ＢＷホッピングを遂行するか否かはノードＢにより構成できる。さらに、本明細書では単一ＵＥ転送部アンテナが説明されるが、多重ＵＥ転送部アンテナに対し、同一な概念が個々のアンテナ別に適用できる。
【００８８】
図１１は、本発明の一実施形態に従う最大に構成されたＳＲＳ ＢＷの一部でのＳＲＳホッピングの制限を示す図である。一般化に対しては以後に説明し、制限は１つのサブセットのＴＴＩのみで適用できる。説明の明瞭性のために、３個のＵＥからのＳＲＳ転送のみを説明する。
【００８９】
図１１を参照すると、特定のＳＲＳ構成に対して最大ＳＲＳ転送ＢＷはｍSRS,0＝48ＲＢ（１１０２）であり、残りのＳＲＳ転送ＢＷはｍSRS,1＝16ＲＢ（１１０４）、ｍSRS,2＝8ＲＢ（１１０６）、及びｍSRS,3＝4ＲＢ（１１０８）である。ＵＥ１は奇数のＳＲＳサブフレーム（１１１２）の間、第１ｍSRS,1＝16ＲＢで、及び偶数のＳＲＳサブフレーム（１１１４）の間、第３ｍSRS,1＝16ＲＢでＳＲＳを転送するように制限する。ＵＥ２は奇数のＳＲＳサブフレーム（１１２２）の間、第１ｍSRS,2＝8ＲＢで、及び偶数のＳＲＳサブフレーム（１１２４）の間、第３ｍSRS,2＝8ＲＢでＳＲＳを転送するように制限される。また、ＵＥ３は奇数のＳＲＳサブフレーム（１１３２）の間、第２ｍSRS,3＝4ＲＢで、及び偶数のＳＲＳサブフレーム（１１３４）の間、第６ｍSRS,3＝4ＲＢでＳＲＳを転送するように制限される。
【００９０】
従来のＳＲＳホッピングパターンは単純な直列パターンを含み、ＵＥからのＳＲＳ転送は各ＳＲＳ転送サブフレームの間、ｍSRS,bＲＢのｍSRS,0/ｍSRS,b端で最大に構成されたｍSRS,0ＲＢのＳＲＳ ＢＷを通じて周波数で連続的にスウィープ（sweep）し、また連続するＳＲＳ転送がｍSRS,bＲＢの非連続するＢＷで起こる周波数の多様性を向上させるパターンを含む。ｍSRS,bＲＢのＢＷでの第１のＳＲＳ転送の周波数位置、ｎb,0はＲＲＣシグナリングを通じてノードＢによりＵＥに知られる。ＳＲＳ転送が初期周波数位置に戻る前に区別されるＳＲＳ転送の数はｍSRS,0/ｍSRS,bである。
【００９１】
しかしながら、従来のＳＲＳホッピングパターンはＩＣＩＣを使用した動作及び異種網で適切でないので、本発明の一実施形態によれば、最大に構成されたｍSRS,0ＲＢのＢＷより小さいＢＷのＳＲＳ転送のホッピングはｍSRS,0ＲＢの一部のみで可能である。直列ＳＲＳホッピングパターンに対し、これは最大に構成されたｍSRS,0ＲＢのＢＷ内にあるｍSRS,bＲＢの一部ＢＷからのｍSRS,bＲＢのＢＷでのＳＲＳ転送を除外させることにより達成される。
【００９２】
例えば、図１１で、ＵＥ１は第１ｍSRS,1＝16ＲＢ（１１１２）で第１のＳＲＳ転送を遂行し（ＳＲＳ転送のナンバリングは０から始まり）、第２ｍSRS,1＝16ＲＢ（１１１４）を飛び越えて、上記第１ｍSRS,1＝16ＲＢ（１１１２）で第３のＳＲＳ転送を遂行することにより同一な方式によりＳＲＳ転送を続けて遂行する。
【００９３】
ＵＥがＳＲＳ転送を遂行することができるｍSRS,bＲＢのＢＷのインデクシング（indexing）は、ＲＲＣシグナリングを通じてノードにより上記ＵＥに提供される。例えば、ＵＥ１が図１１でのＳＲＳ転送を遂行することができるｍSRS,1＝16ＲＢのＢＷは、ビットマップにより｛１，０，１｝として指示できる。但し、ＵＥがＳＲＳ転送のためのＢＷをノードＢが提供する他の情報、例えば、ＩＣＩＣ適用に関する情報から絶対的に決まる場合、インデクシングを提供するための追加シグナリングが提供される必要がないことがある。
【００９４】
ｎSRS＝0から始める転送の以後のＳＲＳ周波数位置ｎbは、下記の＜数式２＞及び＜数式３＞を使用して決まることができる。
【００９５】
【数１０】
2014116952.tif 000018
＜数式２＞で、
【数１１】
2014116952.tif 000019
である。
【００９６】
【数１２】
2014116952.tif 000020
＜数式３＞で、
【数１３】
2014116952.tif 000021
である。
【００９７】
ｍSRS,bＲＢの特定のＢＷからのＵＥのＳＲＳ転送遂行が制限される場合、このようなＢＷでのＳＲＳ転送は省略されることができ、上記ＵＥは代わりに上記パターンにより特定化される次のＢＷで転送を遂行することができる。このようなシナリオは図１２に図示され、ｍSRS,b＝4ＲＢのＳＲＳ転送は上記ホッピングパターンを使用してＳＲＳ転送ＢＷでの制限無しで、そしてＳＲＳ転送ＢＷでの制限を有して図示される。
【００９８】
図１２は、最大ＳＲＳ転送ＢＷに亘ってＳＲＳ転送のために使われる第１ホッピングパターンに基づいて本発明の一実施形態に従う最大のＳＲＳ転送ＢＷより小さい、制限されたＢＷに亘るＳＲＳ転送を示す図である。
【００９９】
図１２を参照すると、ｍSRS,0＝24ＲＢであり、ｍSRS,1＝4ＲＢであり、ｂhop＝0である。ｍSRS,1＝4ＲＢのＳＲＳ ＢＷに対し、Ｎ1＝6及び
【０１００】
【数１４】
2014116952.tif 000022
である。
【０１０１】
図１２で、互いに異なるＳＲＳ転送サブフレーム（１２１０）でのＳＲＳ転送ＢＷは制限無しで（１２２０）、そして制限（１２３０）を有して図示され、上記ＳＲＳは特定ＢＷ（１２４０）での転送から除外される。
【０１０２】
ＢＷ制限を有する以前のＳＲＳホッピング方法の利点は、ＳＲＳ転送がホッピングパターンによって決まった次の許容されたＢＷで発生する代わり、除外されたＢＷ位置で発生する場合、制限を有するＳＲＳ ＢＷ位置で適用可能なホッピングパターンを制限無しで再使用するという点である。しかしながら、制限がある場合、総ＳＲＳ転送ＢＷは制限を有する１サブセットの総ＳＲＳ転送ＢＷであるので、ＢＷ制限のないＳＲＳホッピングパターンの周波数の多様性の最適化がＳＲＳ転送に対するＢＷ制限を使用して維持されない。
【０１０３】
本発明の他の実施形態に従うＳＲＳホッピングパターンを定義するための他の方法を以下に説明する。最大に構成されたｍSRS,0ＲＢのＢＷの一部は基準ＵＥからのｍSRS,b（ｂ＞０）ＲＢのより小さなＢＷでのＳＲＳ転送の遂行に制限を有する。新たな最大ＳＲＳ ＢＷ、ｍrSRS,0＝ＮrbｍSRS,bの定義において、ＮrbはサイズｍSRS,bのＢＷの数を表し、ＳＲＳ転送はホッピングすることができ、Ｎrb＜ｍSRS,0/ｍSRS,bであり、ＮbはＮrbに置換される。このような変形はＳＲＳホッピングパターンを決めるための式のためのものであり、残りのＢＷインデクシングは以前に説明されたものと同一に維持される。少なくともｂ＝１に対し、Ｆrb(ｎSRS)は＜数式４＞を用いて決定できる。
【０１０４】
【数１５】
2014116952.tif 000023
【０１０５】
図１２と同一なパラメータに対する各ホッピングパターンが図１３に図示される。
ｍSRS,1＝4ＲＢのＳＲＳ ＢＷに対し、Ｎr1＝4及びＦb（ｎSRS）は＜数式５＞を使用して決定できる。
【０１０６】
【数１６】
2014116952.tif 000024
【０１０７】
図１３は、連続するＳＲＳ転送の間に、周波数で最大分離を達成する第２ホッピングパターンに基づいて本発明の一実施形態に従う最大ＳＲＳ転送ＢＷより小さい、制限されたＢＷに亘るＳＲＳ転送を示す図である。
【０１０８】
図１３を参照すると、互いに異なるＳＲＳ転送サブフレーム（１３１０）でのＳＲＳ転送ＢＷは制限無しで（１３２０）、そして制限（１３３０）を有して図示され、上記ＳＲＳは特定ＢＷ（１３４０）での転送から除外される。前述したように、ノードＢはＵＥが修正されたホッピングパターン及び関連したパラメータを使用すべきか否かをＲＲＣシグナリングを通じてＵＥに知らせることと仮定される。
【０１０９】
本発明の他の実施形態によれば、ＳＲＳ転送は、ＵＬ作用ＢＷの非隣接した部分でＰＵＳＣＨスケジューリングをサポートするために提供される。下記の説明は、単一ＵＥ転送部アンテナを参照して提供される。しかしながら、多重ＵＥ転送アンテナに対し、同一な概念が個々のアンテナ別に適用できる。
【０１１０】
ｂ＞０のｍSRS,bＲＢの同時的ＳＲＳ転送ＢＷはｍSRS,0ＲＢの最大ＳＲＳ ＢＷのＢＷ部分と類似の方式により表すことができ、前述したように、ＳＲＳ転送は許容または除外される。例えば、Ｎ＜ｍSRS,0/ｍSRS,bビットのビットマップを使用するノードＢはｂ＞０のｍSRS,bＲＢのＢＷの数でＳＲＳ転送を同時に遂行するようにＵＥに指示することができる。
【０１１１】
例えば、ｍSRS,0/ｍSRS,b＝8であり、ビットマップが｛０，１，０，０，０，０，１，０｝であれば、ＵＥはｂ＞０のｍSRS,bＲＢの第２及び第７のＳＲＳ ＢＷで同時的ＳＲＳ転送を遂行する。または、Ｍ個の同時的ＳＲＳ転送を遂行するように構成されたＵＥは、各ＳＲＳホッピングパターンを使用するＵＥのためにＭ個の連続するＳＲＳ転送サブフレームでＭ個のＳＲＳ転送に対応するＢＷと同一なＢＷを使用することができる。
【０１１２】
例えば、Ｍ＝２に対し、ＵＥのための各連続するＳＲＳ転送サブフレームの間、図１２または図１３の左側に図示したように、ＢＷ｛ＢＷ１，ＢＷ４，ＢＷ２，ＢＷ５，ＢＷ３，ＢＷ６，ＢＷ１，．．．｝でのＳＲＳホッピングパターンを有するＵＥは｛ＢＷ１，ＢＷ４｝で第１のＳＲＳ転送サブフレームの間２つの同時的ＳＲＳ転送を有することができ、｛ＢＷ２，ＢＷ５｝で第２のＳＲＳ転送サブフレームの間２つの同時的ＳＲＳ転送を有することができ、｛ＢＷ３，ＢＷ６｝で第３のＳＲＳ転送サブフレームの間２つの同時ＳＲＳ的転送を有することができ、｛ＢＷ１，ＢＷ４｝で第４のＳＲＳ転送サブフレームの間２つの同時的ＳＲＳ転送を有することができる。このような方式により、上記ＳＲＳホッピングパターンの利点が追加シグナリングの必要無しで、例えば、ビット−マップを通じて保護される。
【０１１３】
ビット−マップが必要とするものより小さなビットを有するインデクシングは、同一なＢＷを有する同時的ＳＲＳ転送の数または位置において一部の制限を有して開発できる。例えば、第１のＳＲＳ転送のＢＷ位置がｍSRS,0ＲＢの初めの半分であり、第２のＳＲＳ転送がｍSRS,0ＲＢの残りの半分で同一なＢＷ位置を使用するｂ＞０のｍSRS,bＲＢの２つのＳＲＳ転送ＵＥにより同時に遂行されるように構成されれば、ビット数はビットマップを使用する場合、必要なビット数の半分に減ることができる。多様なインデクシング方法が直接適用できる。例えば、上記２つの同時的ＳＲＳ転送のＢＷ位置は（上記ｍSRS,0の初めの半分及び残りの半分で同一な位置を有する代わり）最大に構成されたｍSRS,0ＲＢのＳＲＳ ＢＷの各終わりを基準に互いに対称でありうる。
【０１１４】
さらに、より小さなＳＲＳ ＢＷに対する潜在的ＢＷ位置がグループ化されてＳＲＳ ＢＷに関わらず、同一な数のビットがインデクシングに使われる。例えば、ｍSRS,b2/ｍSRS,b1＝Ｆ＞1であるｍSRS,b1ＲＢの第１のＳＲＳ転送及びｍSRS,b2ＲＢの第２のＳＲＳ転送を考慮すれば、上記第１のＳＲＳ転送のＢＷ位置は、最初のまたは中間ブロックのような実際のブロックが常に予め決まるｍSRS,b1ＲＢのＦブロック内のみで指示できるか、例えば、ＵＥ ＩＤ、またはＣＳ、コーム（comb）のように、ＳＲＳ転送に割り当てられる他のパラメータに基づいて絶対的に決まることができる。例えば、4ｍSRS,b2ＲＢの最大ＳＲＳ転送ＢＷ及びｍSRS,b2/ｍSRS,b1＝Ｆ＝2に対し、４ビットのビット−マップはｍSRS,b2ＲＢのＢＷを有するＳＲＳ転送に対して可能な位置を表すことができる。このような位置のうちの１つはｍSRS,b1ＲＢのＳＲＳ転送ＢＷに対するものであるが、（第１のＲＢから始めるか、ｍSRS,b1ＲＢの以後に始める）２つのこのような位置がｍSRS,b2ＲＢの内に存在するため、ＵＥは、例えば、常に第１位置を使用するように構成できる。
【０１１５】
ノードＢは、ＵＥ別に各々構成されたｂ＞０のｍSRS,bＲＢの同時的ＳＲＳ転送のための複数のＢＷを除いて、全てのサブＢＷに適用可能な単一ＣＳ、単一コーム（comb）、単一ＳＲＳ転送周期、及び単一ＳＲＳ開始転送サブフレームを含む残りのＳＲＳ転送パラメータに対する１セットをＵＥ別に構成することができる。
【０１１６】
単一ＣＳ
ＳＲＳ ＣＳは複数の全てのＢＷで同一だったり、ｂ＞０のｍSRS,bＲＢの複数のＢＷに亘って予め決まった方式によって多様でありうる。可変的ＣＳは、複数のＳＲＳ転送がｂ＞０のｍSRS,bＲＢの同一なＢＷを有しながら発生する場合、上記複数のＳＲＳ転送と関連したキュービックメトリック（cubic metric）の増加を統計的に最小化することに有利である。
【０１１７】
例えば、８個の可能なＣＳ値が｛ＣＳ０，ＣＳ１，ＣＳ２，ＣＳ３，ＣＳ４，ＣＳ５， ＣＳ６，ＣＳ７｝であり、ＵＥがｂ＞０のｍSRS,bＲＢの第１のＢＷでの転送のためのＳＲＳ ＣＳとしてＣＳ０の割当を受けると仮定する場合、上記ＵＥがまたｂ＞０のｍSRS,bＲＢの２つのＢＷをさらに割当を受ければ、このようなＢＷでのＳＲＳ ＣＳは簡単に次のＣＳであるＣＳ１及びＣＳ２になったり、最も大きい相互分離を有するＣＳであるＣＳ３及びＣＳ６になることができる。
【０１１８】
単一コーム（comb）
ＳＲＳコーム（comb）は、ｂ＞０のｍSRS,bＲＢの複数のＢＷの全てで同一だったり、このようなＢＷに亘って予め決まった方式によって多様でありうる。
【０１１９】
例えば、疑似−ランダムパターン（pseudo-random pattern）は可変的ＢＷでＳＲＳコーム（comb）決定に適用されて特定コーム（comb）で経る干渉がランダムに抽出できる。
【０１２０】
単一ＳＲＳ転送周期
単一ＳＲＳ転送周期は、ｂ＞０のｍSRS,bＲＢの複数のＢＷの全てに適用可能である。
【０１２１】
単一ＳＲＳ開始転送サブフレーム
単一ＳＲＳ開始転送サブフレームは、ｂ＞０のｍSRS,bＲＢの複数のＢＷの全てに適用可能である。
【０１２２】
ＳＲＳホッピングは、ｂ＞０のｍSRS,bＲＢの複数のＢＷの全てで可能だったり、可能でない。または、ＳＲＳホッピングは１サブセットの複数のＳＲＳ転送のために可能でありうる。
【０１２３】
例えば、１つのＳＲＳ転送は常に固定されたＢＷで発生することができ、他のＳＲＳ転送は複数のＢＷの間でホッピングすることができる。このような方式により、ノードＢはＵＥスケジューリングのために固定されたＢＷでのＵＬチャンネル媒体情報を上記ＢＷで獲得することができる一方、上記情報に基づいて他の複数のＢＷでもＵＬチャンネル媒体情報を獲得し、上記固定されたＢＷからのＵＥスケジューリングを上記多数のＢＷのうちの１つでスイッチングした後、上記ＢＷを新たな固定されたＢＷに作ることができる。
【０１２４】
図１４は、本発明の一実施形態に従う複数のＢＷでの同時的ＳＲＳ転送を示す図である。具体的に、図１４はｍSRS,0ＲＢの最大に構成されたＳＲＳ ＢＷの内のｂ＞０のｍSRS,bＲＢの複数のＢＷでの同時的ＳＲＳ転送を図示する。説明の便宜のために、２つのＵＥからのＳＲＳ転送のみ図示される。
【０１２５】
図１４を参照すると、最大ＳＲＳ転送ＢＷはｍSRS,0＝48ＲＢ（１４０２）であり、残りのＳＲＳ転送ＢＷはｍSRS,1＝16ＲＢ（１４０４）、ｍSRS,2＝8ＲＢ（１４０６）、及びｍSRS,3＝4ＲＢ（１４０８）である。ＵＥ１（１４１０）は同一なＢＷｍSRS,2を使用する２つの同時的ＳＲＳ転送（１４１２及び１４１４）を有し、上記２つの転送はｍSRS,0ＲＢの初めの半分及び残りの半分で各々同一な個所に位置する。ＵＥ２（１４２０）は同一なＢＷｍSRS,3を使用する２つの同時的ＳＲＳ転送（１４２２及び１４２４）を有し、上記２つの転送はｍSRS,0ＲＢの各側面側に対称的に位置する。
【０１２６】
図１５は、本発明の一実施形態に従うＳＲＳホッピングパターンによって決まる２つのＢＷでの同時的ＳＲＳ転送を示す図である。具体的に、図１５はＳＲＳホッピングパターンを使用して決まる４個のＲＢを有するＭ＝２ＲＢでの同時的ＳＲＳ転送を図示する。
【０１２７】
図１５を参照すると、２４ＲＢ（１５１０）の総ＳＲＳ転送ＢＷで、第１のＳＲＳ転送サブフレーム（１５２０）の間ＳＲＳ転送は第１及び第４のＢＷ（１５３０）の内にあり、第２のＳＲＳ転送サブフレームの間ＳＲＳ転送は第２及び第５のＢＷ（１５４０）の内にあり、第３のＳＲＳ転送サブフレームの間ＳＲＳ転送は第３及び第６のＢＷ（１５５０）の内にあり、第４のＳＲＳ転送サブフレームの間ＳＲＳ転送は第１及び第４のＢＷ（１５６０）の内にある。
【０１２８】
図１６は、本発明の一実施形態に従う受信装置の例示的構造を示すブロック図である。上記受信装置１６００は、例えば、転送部１６１０及び制御部１６２０を含む。
【０１２９】
上記転送部１６１０は、第１帯域幅サイズを有し、第１セットのサブフレームの間第１帯域幅位置にあるＲＳを転送し、第２帯域幅サイズを有し、第２セットのサブフレームの間第２帯域幅位置にあるＲＳを転送し、上記第２帯域幅サイズは予め定義された最大ＲＳ帯域幅サイズより小さい。
【０１３０】
また、上記転送部１６１０は第１帯域幅での第１帯域幅ホッピングパターンによってＲＳを転送し、第２帯域幅での第２帯域幅ホッピングパターンによってＲＳを転送する。上記第１帯域幅は上記第２帯域幅より大きく、上記第２帯域幅の少なくとも一部を含む。
また、上記転送部１６１０は隣接した帯域幅に亘って第１モードでＲＳを転送し、多数の非隣接した帯域幅位置で第２モードでＲＳを転送する。
【０１３１】
上記受信装置は帯域幅位置評価部をさらに含む。
上記帯域幅位置評価部１６３０は、初期ＲＳ転送に対して予め決まった帯域幅位置または最後のＲＳ転送の帯域幅位置に関するホッピングパターンによって決まる次の帯域幅位置から始めて、帯域幅位置のセットに属する帯域幅位置が確認されるまで帯域幅位置ホッピングパターンによってＲＳ帯域幅位置の数を決める。上記転送部１６１０は確認された帯域幅位置でＲＳを転送する。
【０１３２】
上記制御部１６２０は本発明の一実施形態によって上記転送部１６１０の動作及び帯域幅位置評価部１６３０を制御する。
【０１３３】
上記の説明では具体的な特定の実施形態が表れているが、これは本発明のより全般的な理解を助けるために提供されたものであり、このような特定の事項無しでも本発明が実施できることは、この技術分野で通常の知識を有する者には自明である。本発明が属する分野の技術者は本願の特許請求範囲に記載された原理及び範囲内で本発明を多様な形態に変形または変更することができる。
【符号の説明】
【０１３４】
１６１０・・転送部
１６２０・・制御部
１６３０・・帯域幅位置評価部。
【図１】
2014116952.tif 000033
【図２】
2014116952.tif 000034
【図３】
2014116952.tif 000035
【図４】
2014116952.tif 000036
【図５】
2014116952.tif 000037
【図６】
2014116952.tif 000038
【図７】
2014116952.tif 000039
【図８】
2014116952.tif 000040
【図９】
2014116952.tif 000041
【図１０】
2014116952.tif 000042
【図１１】
2014116952.tif 000043
【図１２】
2014116952.tif 000044
【図１３】
2014116952.tif 000045
【図１４】
2014116952.tif 000046
【図１５】
2014116952.tif 000047
【図１６】
2014116952.tif 000048